(57)【特許請求の範囲】
【請求項１】
コンピュータ装置のメモリカード用スロットに挿入接続可能な外形形状を有すると共にＩＣカードを挿入するカ−ド挿入口及び該カ−ド挿入口に連通するＩＣカード挿入路を有した装置本体と、
前記カード挿入口とは反対側で前記装置本体に設けられ、前記メモリカード用スロットに挿入された際に前記コンピュータ装置と電気的に接続するコネクタ部と、
前記装置本体内の前記ＩＣカード挿入路に対向し、かつ挿入された前記ＩＣカードの接点と対向する位置に配設され、前記コネクタ部を介して前記コンピュータ装置との間でデータの送受信を行うコンタクトと、
前記装置本体内の前記ＩＣカード挿入路にスライド可能に配置され、挿入されたＩＣカードの先端部で押されて移動するスライダに一体的に設けられ前記ＩＣカードの接点が配設された面とは反対の面に重合するすくい板、及び、このすくい板の移動路に対向して突設されＩＣカードが所定位置まで挿入されたとき前記すくい板が傾斜状態で乗上げる突起を有し、前記ＩＣカードを前記コンタクト側に変位させてＩＣカードの接点と前記コンタクトとを接触させるＩＣカード変位機構と、
を具備してなることを特徴とするＩＣカード情報処理装置。
【請求項２】
コンピュータ装置のメモリカード用スロットに挿入接続可能な外形形状を有すると共にＩＣカードを挿入するカ−ド挿入口及び該カ−ド挿入口に連通するＩＣカード挿入路を有した装置本体と、
前記カード挿入口とは反対側で前記装置本体に設けられ、前記メモリカード用スロットに挿入された際に前記コンピュータ装置と電気的に接続するコネクタ部と、
前記装置本体内の前記ＩＣカード挿入路に対向し、かつ挿入された前記ＩＣカードの接点と対向する位置に配設され、前記コネクタ部を介して前記コンピュータ装置との間でデータの送受信を行うコンタクトと、
前記装置本体内の前記ＩＣカード挿入路にスライド可能に配置され、挿入されたＩＣカードの先端部で押されて移動するスライダに一体的に設けられ、前記ＩＣカードの接点が配設された面とは反対の面に重合するとともに突起嵌入孔が形成されたすくい板、このすくい板の移動路において前記突起嵌入孔に対向して突設され、前記ＩＣカードの非挿入時に前記すくい板の突起嵌入孔に嵌入し、前記ＩＣカードが所定位置まで挿入されたとき前記すくい板が乗上げる第１の突起、及び、前記ＩＣカードが所定位置まで挿入されたとき前記スライダが乗上げる第２の突起を有し、前記ＩＣカードを平行状態で前記コンタクト側に変位させてＩＣカードの接点と前記コンタクトとを接触させるＩＣカード変位機構と、
を具備してなることを特徴とするＩＣカード情報処理装置。
【請求項３】
前記スライダを前記ＩＣカードの挿入方向とは逆の方向に常時付勢する付勢手段と、
前記スライダに連結され該スライダと一体的に移動可能で、かつ前記ＩＣカードが前記ＩＣカード挿入路の情報処理可能な位置まで挿入されたとき固定的に設けられた被係合部に係合し得る係合部を有した係合部材を備え、前記ＩＣカードの接点が前記コンタクトと接触した位置において前記スライダを前記付勢手段の付勢力に抗して保持するスライダロック手段と、
このスライダロック手段の前記係合部材の移動路に対向して設けられ、前記係合部材の動きを検知する検知手段と、
を具備してなることを特徴とする請求項１又は２に記載のＩＣカード情報処理装置。
【発明の詳細な説明】
【０００１】
【産業上の利用分野】
本発明は、ＩＣカードの情報の読取り、書込み等の情報処理を行うＩＣカード情報処理装置に係わり、詳しくは携帯型パソコン等のコンピュータ機器に接続して使用するＩＣカード情報処理装置に関する。
【０００２】
【従来の技術】
従来、薄型ＩＣカード読み取り・書き込み装置は外置型でコネクタケーブルなどでコンピュータ機器に設けられたＲＳ−２３２Ｃなどのインタフェースに接続して使用するようになっており、携帯型コンピュータ機器に規格化されたカード型機器用スロットに挿入接続が可能なものはなかった。
【０００３】
また、従来のＩＣカードの接点とコンタクトピンとを接離させるための機構は、特公平４−０３８０２９号公報に示されるように、コンタクトピンを保持したコンタクトホルダを上下させる機構が主流であった。
【０００４】
【発明が解決しようとする課題】
上記のように、従来のＩＣカード情報処理装置は、サイズが大きく、ホストコンピュータと接続して外置き型として使われてきたため、ケーブルの配線問題や使用場所での制約問題、持ち運びの不便さ等の問題があった。
【０００５】
また、従来のコンタクトピンを保持したコンタクトホルダを上下させる機構を採用した場合、薄型化する事は極めて困難であるとともに、内部機構が複雑で部品点数が多くなり、組立，調整等が面倒かつ時間がかかり、しかも、製造コストが高くつくなどの問題があった。
【０００６】
本発明は、上記事情に基づきなされたもので、薄型化と内部機構の単純化が図れ、携帯型パソコン等のコンピュータ機器の規格化されたメモリカード用スロットに挿入接続が可能で、コンピュータ機器と一体で使用や運搬が行え、使用場所を選ばず使えて利便性を大幅に向上させる事ができ、しかも、組立，調整等が容易で安価なＩＣカード情報処理装置を提供することを目的とする。
【０００９】
【課題を解決するための手段】
本発明に係るＩＣカード情報処理装置は、コンピュータ装置のメモリカード用スロットに挿入接続可能な外形形状を有すると共にＩＣカードを挿入するカ−ド挿入口及び該カ−ド挿入口に連通するＩＣカード挿入路を有した装置本体と、前記カード挿入口とは反対側で前記装置本体に設けられ、前記メモリカード用スロットに挿入された際に前記コンピュータ装置と電気的に接続するコネクタ部と、前記装置本体内の前記ＩＣカード挿入路に対向し、かつ挿入された前記ＩＣカードの接点と対向する位置に配設され、前記コネクタ部を介して前記コンピュータ装置との間でデータの送受信を行うコンタクトと、前記装置本体内の前記ＩＣカード挿入路にスライド可能に配置され、挿入されたＩＣカードの先端部で押されて移動するスライダに一体的に設けられ前記ＩＣカードの接点が配設された面とは反対の面に重合するすくい板、及び、このすくい板の移動路に対向して突設されＩＣカードが所定位置まで挿入されたとき前記すくい板が傾斜状態で乗上げる突起を有し、前記ＩＣカードを前記コンタクト側に変位させてＩＣカードの接点と前記コンタクトとを接触させるＩＣカード変位機構と、を具備してなる構成としたものである。
【００１０】
また、本発明に係るＩＣカード情報処理装置は、コンピュータ装置のメモリカード用スロットに挿入接続可能な外形形状を有すると共にＩＣカードを挿入するカ−ド挿入口及び該カ−ド挿入口に連通するＩＣカード挿入路を有した装置本体と、前記カード挿入口とは反対側で前記装置本体に設けられ、前記メモリカード用スロットに挿入された際に前記コンピュータ装置と電気的に接続するコネクタ部と、前記装置本体内の前記ＩＣカード挿入路に対向し、かつ挿入された前記ＩＣカードの接点と対向する位置に配設され、前記コネクタ部を介して前記コンピュータ装置との間でデータの送受信を行うコンタクトと、前記装置本体内の前記ＩＣカード挿入路にスライド可能に配置され、挿入されたＩＣカードの先端部で押されて移動するスライダに一体的に設けられ、前記ＩＣカードの接点が配設された面とは反対の面に重合するとともに突起嵌入孔が形成されたすくい板、このすくい板の移動路において前記突起嵌入孔に対向して突設され、前記ＩＣカードの非挿入時に前記すくい板の突起嵌入孔に嵌入し、前記ＩＣカードが所定位置まで挿入されたとき前記すくい板が乗上げる第１の突起、及び、前記ＩＣカードが所定位置まで挿入されたとき前記スライダが乗上げる第２の突起を有し、前記ＩＣカードを平行状態で前記コンタクト側に変位させてＩＣカードの接点と前記コンタクトとを接触させるＩＣカード変位機構と、を具備してなる構成としたものである。
【００１６】
【作用】
上記構成のＩＣカード情報処理装置によれば、装置本体内のＩＣカード挿入路にスライド可能に配置され挿入されたＩＣカードの先端部で押されて移動するスライダに一体的に設けられＩＣカードの接点が配設された面とは反対の面に重合するすくい板、及び、このすくい板の移動路に対向して突設されＩＣカードが所定位置まで挿入されたとき前記すくい板が傾斜状態で乗上げる突起を設けることにより、ＩＣカード挿入路に挿入されたＩＣカードをコンタクト側に変位させて、ＩＣカードの接点とコンタクトとを接触させるようにしたから、従来のようにコンタクトを保持したコンタクトホルダを上下させる機構のものに比べて薄型化が可能となり、装置本体の外形形状をコンピュータ装置のメモリカード用スロットに挿入接続可能な外形形状とすることができる。これにより、コンピュータ装置のメモリカード用スロットに挿入接続して使用でき、コンピュータ機器と一体で使用や運搬が可能となり、使用場所を選ばず使えて利便性を大幅に向上させることが可能となる。
【００１７】
また、ＩＣカード挿入路に対向してすくい板と突起を設けるだけなので、従来に比べて内部機構の単純化が可能となり、これにより、大幅なコストダウンが図れると共に、組立，調整等が容易となるばかりでなく、故障に対する信頼性を向上させることが可能となる。
【００１８】
さらに、突起の位置や形状を変化させる事により、任意のコンタクトのタイミングを調整する事ができる。
また、本発明に係るＩＣカード情報処理装置によれば、装置本体内のＩＣカード挿入路にスライド可能に配置され挿入されたＩＣカードの先端部で押されて移動するスライダに一体的に設けられＩＣカードの接点が配設された面とは反対の面に重合するすくい板、及び、このすくい板の移動路に対向して突設されＩＣカードが所定位置まで挿入されたとき前記スライダとすくい板がＩＣカードと平行状態で乗上げる複数の突起を設けることにより、ＩＣカード挿入路に挿入されたＩＣカードをコンタクト側に変位させて、ＩＣカードの接点とコンタクトとを接触させるようにしたから、従来のようにコンタクトを保持したコンタクトホルダを上下させる機構のものに比べて薄型化が可能となり、装置本体の外形形状をコンピュータ装置のメモリカード用スロットに挿入接続可能な外形形状とすることができる。これにより、コンピュータ装置のメモリカード用スロットに挿入接続して使用でき、コンピュータ機器と一体で使用や運搬が可能となり、使用場所を選ばず使えて利便性を大幅に向上させることが可能となる。
【００１９】
また、ＩＣカード挿入路に対向してすくい板と複数の突起を設けるだけなので、従来に比べて内部機構の単純化が可能となり、これにより、大幅なコストダウンが図れると共に、組立，調整等が容易となるばかりでなく、故障に対する信頼性を向上させることが可能となる。
【００２０】
また、すくい板がＩＣカードと平行状態となってＩＣカードを面で支えるため、より安定した支持状態が得られ、ＩＣカードの接点とコンタクトとの接触状態が安定し、良好な情報処理が安定して得られる。
【００２３】
さらに、突起の位置や形状を変化させる事により、任意のコンタクトのタイミングを調整する事ができる。
また、ＩＣカードの先端部で押されて移動するスライダに、ＩＣカードが情報処理可能な位置まで挿入された時に、被係合部に係合する係合部を有した係合部材を連結すると共に、この係合部材の動きを検知する検知手段を設けたから、この検知手段の検知動作により、ＩＣカードが情報処理可能な位置に保持されているか否かが確認できる。これにより、ＩＣカード内の情報を破壊する事がないし、誤動作によるＩＣカード内の情報の破壊もなくなる。
【００２４】
【実施例】
以下、本発明の第１の実施例を図１〜図６を参照して説明する。
図１は本発明のＩＣカ−ド情報処理装置１の外観を示し、図２は拡張メモリ等のメモリカード（図示しない）を差し込むメモリカード用スロット２Ａを備えたノート型パソコン等のコンピュータ機器２を示す。
【００２５】
コンピュータ機器２の前記メモリカード用スロット２Ａの内部は、各種のメモリカード規格に準じた形状寸法になっている。そして、本発明のＩＣカ−ド情報処理装置１をメモリカード用スロット２Ａに挿入することにより、その先端部に設けられたコネクタ部３がコンピュータ機器２内のコネクタ（図示しない）に電気的に接続されるようになっている。
【００２６】
ＩＣカ−ド情報処理装置１は、大部分がメモリカードの規格に準じた形状寸法、具体的には厚さ方向では最大５ｍｍ、幅方向では大規模集積回路（ＬＳＩ）を搭載したＩＣカード４とほぼ同じ寸法である５４ｍｍとなっており、メモリカード用スロット２Ａに内蔵される部分１Ａとコンピュータ機器２外に出る部分１Ｂとが一体に構成されている。ただし、この外に出る部分１Ｂは、コンピュータ機器２のメモリカード用スロット２Ａの形状によっては内蔵も可能な部分ではある。
【００２７】
次にＩＣカ−ド情報処理装置１の内部構造を図３〜図６を参照して説明する。図３はメモリカード用スロット２Ａに内蔵される部分１Ａの蓋部材５（図１参照）、及びコンピュータ機器２外に出る部分１Ｂの蓋部材６（図１参照）等を取り除いた状態、かつＩＣカード４が挿入されていない状態を示す平面図であり、図４は、このＩＣカード４が挿入されていない時の主要部の構成を示す概略的側面図である。
【００２８】
また、図５および図６は、それぞれＩＣカード４が挿入されている状態の要部の平面図および概略的側面図である。
図において、８は装置本体であり、この装置本体８は、各機構部材を保持するメインフレーム１０と、このメインフレーム１０の下面側に設けられたベースフレーム２０と、これらメインフレーム１０およびベースフレーム２０が固定されるとともに装置の外形を構成するメインフレーム枠１２とからなる。
【００２９】
メインフレーム枠１２のメモリカード用スロット２Ａに内蔵される部分は、適用対象のメモリカードの規格に合った形状寸法になっている。
メインフレーム枠１２のコンピュータ機器２外に出る部分１Ｂの端面には、ＩＣカード４を挿入するＩＣカード挿入口１４があり、そのＩＣカード４の長手方向（挿入方向）に沿う側端面４ｂ，４ｃをガイドする為のガイド部１２ａ，１２ｂ，１２ｃを有している。このカ−ド挿入口１４は、ＩＣカード４の挿入および排出がスムーズに行なわれるように、入口が広く、ＩＣカード４の挿入方向（矢印Ａ方向）に向かって狭まるように、５４．０ｍｍ〜５４．３ｍｍに設定されている。
【００３０】
また、装置本体８内には、カ−ド挿入口１４に連通するカード挿入路１５が形成されており、このカード挿入路１５の奥行方向には、スライダ１６が設けられている。
【００３１】
このスライダ１６には、ＩＣカード４の先端側両隅部４ｄ，４ｅが当接する円弧状の突当面１６ａ，１６ｂと、ＩＣカード４の先端面４ａが当接する平坦突当面１６ｃとが形成されており、ＩＣカード４の先端側の位置決めを行うようになっている。
【００３２】
したがって、ＩＣカード挿入口１４からカード挿入路１５に挿入されたＩＣカード４は、ＩＣカード挿入口１４付近では、メインフレーム枠１２のガイド部１２ａ，１２ｂ，１２ｃでカード幅方向が位置決めされ、コンピュータ内蔵部分では、スライダ１６の円弧状の突当面１６ａ，１６ｂおよび平坦突当面１６ｃによって位置決めがなされることになる。
【００３３】
また、スライダ１６は、メインフレーム１０に形成された長孔と係合するガイド突起１６ｄ，１６ｄが突設されており、ＩＣカード４の挿脱方向にのみ移動可能となっている。
【００３４】
また、スライダ１６には、図４および図６に示すように、ＩＣカード４の接点４ａが配設された面とは反対の面に重合するカード変位部材としてのすくい板１７が一体的に設けられていると共に、このすくい板１７の移動路に対向してＩＣカード４が所定位置まで挿入されたとき前記すくい板１７が傾斜状態で乗上げる突起２０ａが突設されており、前記ＩＣカード４をコンタクトとしてのコンタクトピン４０側に変位させてＩＣカード４の接点４ｆと前記コンタクトピン４０とを接触させるＩＣカード変位手段としてのＩＣカード変位機構４２を構成している。
【００３５】
すくい板１７には、前記突起２０ａが嵌入し得る大きさの矩形状の孔からなる突起嵌入孔１８が形成されており、図４に示すようにＩＣカード４が挿入されない状態においては、突起２０ａが突起嵌入孔１８に嵌入した状態となって、すくい板１７が、ベースフレーム２０に沿った水平状態となり、また、図６に示すようにＩＣカード４が挿入されてスライダ１６が押された状態においては、突起嵌入孔１８が突起２０ａの配設位置から外れてすくい板１７が突起２０ａ上に傾斜状態で乗上げ、すくい板１７の後端でＩＣカード４を押上げるようになっている。
【００３６】
突起２０ａが突設されたベースフレーム２０は、ＩＣカード４の下面を保持、保護を目的としたもので、メインフレーム枠１２に保持されている。
また、前記スライダ１６には、メインフレーム１０に形成された長孔を介してメインフレーム１０の上面側に突出する係合突起１６ｇを有しており、この係合突起１６ｇは、メインフレーム１０の上面に配設された係合部材としてのアーム２２の一端（右端）に形成された係合孔２２ｄと係合した状態となっている。
【００３７】
アーム２２の係合孔２２ｄは、アーム２２が係合突起１６ｇを回動支点として時計回り方向（矢印Ｃ方向）に回動できるように一端側が幅広となる扇状に形成されている。
【００３８】
さらに、アーム２２の前記係合孔２２ｄが形成された一端側（右端側）には、バネ掛部２２ｅを有した腕部２２ｆが突設されており、前記バネ掛部２２ｅには、一端をメインフレーム１０のバネ掛部１０ｂ，１０ｂに連結した付勢手段である引張りバネ２４，２４の他端が連結された状態となっている。そして、引張りバネ２４，２４の付勢力により、アーム２２およびこれと連結されたスライダ１６をＩＣカード４の挿入方向とは逆の方向（矢印Ｂ方向）に付勢するとともに、アーム２２を時計回り方向（矢印Ｃ方向）に常時付勢するようになっている。
【００３９】
また、アーム２２は、ＩＣカード４が挿入されていない状態においては、図３に示すように、アーム２２の他端（左端）の突当部２２ｂがＩＣカード排出部材であるイジェクトボタン２６の突当面２６ａと当たり、アーム２２の時計回りの方向（矢印Ｃ方向）の回動を押さえられた状態となる。
【００４０】
また、ＩＣカード４が挿入された状態においては、図５に示すように、アーム２２の他端（左端）の突当部２２ｂがイジェクトボタン２６の突当面２６ａから外れて時計回りの方向（矢印Ｃ方向）に回動し、アーム２２に形成された係合部としての切欠部２２ａが、メインフレーム１０に形成された被係合部としての切起部１０ａに係合するようになっている。そして、アーム２２およびこれと連結されたスライダ１６を、引張りバネ２４，２４の付勢力に抗して保持するスライダロック手段としてのスライダロック機構２７を構成している。
【００４１】
また、メインフレーム１０の上面側には、制御基板２８が配設されている。この制御基板２８は、メインフレーム枠１２で保持されており、コンピュータ機器２と接続するためのコネクタ３と、ＩＣカード４の接点４ｆと接続させるための導電性弾性体からなるピン状のコンタクト（以後、コンタクトピンという）４０を保持したコンタクトホルダ３０と、アーム２２の動きを検知するための第１の検知手段としての第１スイッチ３２および第２の検知手段としての第２のスイッチ３４と、ＩＣカード４がコンタクトし情報の読み込み書き込み中に点灯する発光体（ＬＥＤ）３６と、制御手段である大規模集積回路（ＬＳＩ）３８とが配設されている。
【００４２】
コンタクトホルダ３０は、基板２８の裏側（下面側）に実装され、このコンタクトホルダ３０に保持された８本もしくは６本のコンタクトピン４０の先端部は、メインフレーム１０に穿設されたピン挿通孔を貫通し、メインフレーム１０の下面側、すなわち、カード挿入路１５に突出した状態となっている。
【００４３】
第１，第２のスイッチ３２，３４は、導電性弾性体からなり、アーム２２が時計回りに回動しないとき（ＩＣカード４が挿入されていないとき）は、図３に示すようにアーム２２の端面２２ｃによって第１のスイッチ３２の接触子３２ａが押されて第２のスイッチ３４と密着している。また、ＩＣカード４が挿入されアーム２２が時計回り方向（矢印Ｃ方向）に回動すると、図５に示すように第１のスイッチ３２の接触子３２ａは元の形状に戻り、第２のスイッチ３４から離れる機構となっている。そして、アーム２２の動きを検知する検知手段３５を構成している。
【００４４】
また、前記ＩＣカード排出部材であるイジェクトボタン２６は、スライダロック機構２７のロック動作を解除するロック解除部材となっている。すなわち、イジェクトボタン２６の先端は、アーム２２の突当部２２ｂと接触するテーパガイド面２６ｂとなっており、イジェクトボタン２６をＩＣカード４の挿入方向と同じ方向（矢印Ｄ方向）に押すと、アーム２２が反時計回りの方向（矢印Ｅ方向）に引張りバネ２４，２４の付勢力に抗して押し退けられ、アーム２２の係合部としての切欠部２２ａが、メインフレーム１０に形成されたの被係合部としての切起部１０ａから離れるようになっている。これにより、スライダ１６のロック動作が解除され、スライダ１６は、引張りバネ２４，２４の付勢力でＩＣカード４の挿入方向とは逆の矢印Ｂ方向に移動し、ＩＣカード４をＩＣカード挿入口１４方向に排出するようになっている。
【００４５】
次に、このように構成された第１の実施例の作用について説明する。
まず、これから読み書きを行なおうとするＩＣカード４をＩＣカード挿入口１４に挿入する。挿入されたＩＣカード４は、ＩＣカード挿入口１４の開口縁部に形成されたガイド部１２ａ，１２ｂ，１２ｃによって所定位置に案内されながらカード挿入路１５を奥行き方向（矢印Ａ方向）へ移動する。そして、ＩＣカード４は、ＩＣカード変位機構４２を構成するすくい板１７の上面を通過して、ＩＣカード４の先端面４ａがスライダ１６の平坦突当面１６ｃに、また、先端側両隅部４ｄ，４ｅがスライダ１６の円弧状の突当面１６ａ，１６ｂにそれぞれ突当たり、スライダ１６は付勢手段としての引張りバネ２４，２４に抗してＩＣカード４と共にさらに移動する。
【００４６】
スライダ１６がある位置まで移動すると、すくい板１７に形成された突起嵌入孔１８の図において左側の開口端面１７ａが、ベースフレーム２０に突設された突起部２０ａに当たり、弾性を有する合成樹脂等で構成されたすくい板１７の突起嵌入孔１８よりも左側部分が突起部２０ａ上に乗上げ、ベースフレーム２０とＩＣカード４との間に、左端側が傾斜上端となる傾斜状態、かつ、しなった状態で介在した状態となる。
【００４７】
そして、ＩＣカード４は、すくい板１７の元の状態に戻ろうとするその復元力によりを弾性的に押上げられた状態となる。
また、すくい板１７を変位させるための突起部２０ａは、丁度、コンタクトピン４０の配設位置の真下に位置しており、この突起部２０ａに傾斜状態で乗り上げたすくい板１７により弾性的に押上げられたＩＣカード４の接点４ｆとコンタクトピン４０とが確実に接触した状態となる。
【００４８】
なお、突起部２０ａは、コンタクトピン４０の配設位置の真下に位置しているため、突起部２０ａの形状もしくは位置によって、ＩＣカード４の接点４ｆとコンタクトピン４０との接触タイミングを自由に調整することが可能である。
【００４９】
上記のように、ＩＣカード４の接点４ｆとコンタクトピン４０とが接触した状態において、スライダ１６は、移動方向側（右側）端面である突当面１６ｆが、メインフレーム枠１２の一部である突当面１２ｄに当たり、それ以上の動きが規制される。これにより、ＩＣカード４の挿入方向の動きも規制される。
【００５０】
一方、上記のようにスライダ１６がＩＣカード４の挿入方向（矢印Ａ方向）に移動することにより、このスライダ１６に連結されたアーム２２は、スライダ１６と一体にＩＣカード４の挿入方向に移動する。
【００５１】
この時、アーム２２は、引張りバネ２４，２４の付勢力によって時計回り方向（矢印Ｃ方向）に付勢されているが、突当部２２ｂがイジェクトボタン２６の突当面２６ａに当接することでその動きが規制され、突当面２６ａをこすりながら移動する。
【００５２】
そして、イジェクトボタン２６の突当面２６ａが切れたところで、アーム２２の突当部２２ｂがイジェクトボタン２６のテーパガイド面２６ｂに沿って時計回り方向（矢印Ｃ方向）に回動する。これにより、図５に示すように、アーム２２に形成された係合部としての切欠部２２ａが、メインフレーム１０に形成された被係合部としての切起部１０ａに係合した状態となり、アーム２２およびこのアーム２２に連結されたスライダ１６のＩＣカード挿入口１４方向（矢印Ｂ方向）の動きが規制される。これにより、ＩＣカード４がアクセス位置に保持される。
【００５３】
また、上記のように、アーム２２が時計回り方向（矢印Ｃ方向）に回動すると、アーム２２の端面２２ｃによって押されていた第１のスイッチ３２の接触子３２ａが元の形状に戻り、第２のスイッチ３４から離れ、これにより、ＩＣカード４が所定の位置に確実に挿入されたことが検出される。そして、この検出信号によりＩＣカード４に対するアクセスを開始することになる。
【００５４】
上記のように、アーム２２が回動した後、すなわち、アーム２２に形成された係合部としての切欠部２２ａが、メインフレーム１０に形成された被係合部としての切起部１０ａに係合した後、ＩＣカード４が挿入された事を確認するようにしたから、この時間のずれによって、ＩＣカード４内の情報を破壊することなくアクセスを開始することができる。
【００５５】
次に、ＩＣカード４を取出す動作について説明する。
ＩＣカード４への情報の読込み書込みが終了すると、点灯していた発光体（ＬＥＤ）３６が消灯する。消灯を確認後、もしくはＩＣカ−ド情報処理装置１を動かすアプリケーションシステムより終了確認後、イジェクトボタン２６を右方向（矢印Ｄ方向）に押すことにより、ＩＣカード４を排出することになる。
【００５６】
すなわち、イジェクトボタン２６を右方向（矢印Ｄ方向）に押すと、このイジェクトボタン２６のテーパガイド面２６ｂと接触するアーム２２の突当部２２ｂが外方に押され、アーム２２が反時計回り方向（矢印Ｅ方向）に回動し始める。
【００５７】
そして、アーム２２の係合部としての切欠部２２ａが、メインフレーム１０の被係合部としての切起部１０ａから外れて、アーム２２は引張りバネ２４，２４の付勢力によって左方向（矢印Ｂ方向）に移動すると同時にアーム２２と連結しているスライダ１６も、メインフレーム１０に保持されながら左方向に移動する。
【００５８】
また、上記のようにアーム２２の反時計回り方向（矢印Ｅ方向）の回動により、アーム２２の端面２２ｃが第１スイッチ３２の接触子３２ａを押圧し第２のスイッチ３４に押し付けた状態となる。そして、アーム２２およびこれと連結しているスライダ１６が左方向に移動する以前、すなわち、ＩＣカード４の排出が行なわれる前に検知される。
【００５９】
このように、ＩＣカード４の排出が行なわれる前にそれを検知するので、ＩＣカード４内の情報を破壊することなく排出ができる。たとえアクセス中にイジェクトボタン２６を押しても、ＩＣカード４を破壊することなく安全かつ確実に排出が可能となる。
【００６０】
ＩＣカード４は、スライダ１６の左方向の移動により、その一部がＩＣカード挿入口１４から突出する位置まで押し戻され、排出が完了する。
後は、ＩＣカード４を手で摘んで引出すことにより、図３および図４に示すＩＣカード４の挿入前の状態に戻る。
【００６１】
次に、図７〜図１０を参照して第２の実施例について説明する。
この第２の実施例のＩＣカ−ド情報処理装置１は、外形形状は前述の第１の実施例のものと同じであるためここでは説明を省略する。
【００６２】
図７はメモリカード用スロット２Ａに内蔵される部分１Ａの蓋部材５（図１参照）、及びコンピュータ機器２外に出る部分１Ｂの蓋部材６（図１参照）等を取り除いた状態、かつＩＣカード４が挿入されていない状態を示す平面図であり、図８は、このＩＣカード４が挿入されていない時の主要部の構成を示す概略的側面図である。
【００６３】
また、図９および図１０は、それぞれＩＣカード４が挿入されている状態の要部の平面図および概略的側面図である。
図において、８は装置本体であり、この装置本体８は、各機構部材を保持するメインフレーム１０と、このメインフレーム１０の下面側に設けられたベースフレーム２０と、これらメインフレーム１０およびベースフレーム２０が固定されるとともに装置の外形を構成するメインフレーム枠１２とからなる。
【００６４】
メインフレーム枠１２のメモリカード用スロット２Ａに内蔵される部分は、適用対象のメモリカードの規格に合った形状寸法になっている。
メインフレーム枠１２のコンピュータ機器２外に出る部分１Ｂの端面には、ＩＣカード４を挿入するＩＣカード挿入口１４があり、そのＩＣカード４の長手方向（挿入方向）に沿う側端面４ｂ，４ｃをガイドする為のガイド部１２ａ，１２ｂ，１２ｃを有している。このカ−ド挿入口１４は、ＩＣカード４の挿入および排出がスムーズに行なわれるように、入口が広く、ＩＣカード４の挿入方向（矢印Ａ方向）に向かって狭まるように、５４．０ｍｍ〜５４．３ｍｍに設定されている。
【００６５】
また、装置本体８内には、カ−ド挿入口１４に連通するカード挿入路１５が形成されており、このカード挿入路１５の奥行方向には、スライダ１６が設けられている。
【００６６】
このスライダ１６には、ＩＣカード４の先端側両隅部４ｄ，４ｅが当接する円弧状の突当面１６ａ，１６ｂと、ＩＣカード４の先端面４ａが当接する平坦突当面１６ｃとが形成されており、ＩＣカード４の先端側の位置決めを行うようになっている。
【００６７】
したがって、ＩＣカード挿入口１４からカード挿入路１５に挿入されたＩＣカード４は、ＩＣカード挿入口１４付近では、メインフレーム枠１２のガイド部１２ａ，１２ｂ，１２ｃでカード幅方向が位置決めされ、コンピュータ内蔵部分では、スライダ１６の円弧状の突当面１６ａ，１６ｂおよび平坦突当面１６ｃによって位置決めがなされることになる。
【００６８】
また、スライダ１６は、メインフレーム１０に形成された長孔と係合するガイド突起１６ｄ，１６ｄが突設されており、ＩＣカード４の挿脱方向にのみ移動可能となっている。
【００６９】
また、スライダ１６には、図８および図１０に示すように、ＩＣカード４の接点４ａが配設された面とは反対の面に重合するカード変位部材としてのすくい板１７が一体的に設けられていると共に、このすくい板１７の移動路に対向してＩＣカード４が所定位置まで挿入されたとき前記すくい板１７が乗上げる突起２０ａとスライダ１６が乗上げる２つの突起２０ｂ，２０ｂが突設されており、前記ＩＣカード４をコンタクトとしてのコンタクトピン４０側に変位させてＩＣカード４の接点４ｆと前記コンタクトピン４０とを接触させるＩＣカード変位手段としてのＩＣカード変位機構４２を構成している。
【００７０】
すくい板１７には、前記突起２０ａが嵌入し得る大きさの矩形状の孔からなる突起嵌入孔１８が形成されており、図８に示すようにＩＣカード４が挿入されない状態においては、突起２０ａが突起嵌入孔１８に嵌入した状態、また、スライダ１６が突起２０ｂ，２０ｂの配設位置から外れた位置にあり、すくい板１７が、ベースフレーム２０に沿った水平状態となり、また、図１０に示すようにＩＣカード４が挿入されてスライダ１６が押された状態においては、突起嵌入孔１８が突起２０ａ，２０ｂの配設位置から外れてすくい板１７が突起２０ａに、また、スライダ１６が突起２０ｂ，２０ｂ上に水平状態で乗上げ、ＩＣカード４を押上げるようになっている。
【００７１】
突起２０ａ、２０ｂ，２０ｂが突設されたベースフレーム２０は、ＩＣカード４の下面を保持、保護を目的としたもので、メインフレーム枠１２に保持されている。
【００７２】
また、前記スライダ１６には、メインフレーム１０に形成された長孔を介してメインフレーム１０の上面側に突出する係合突起１６ｇを有しており、この係合突起１６ｇは、メインフレーム１０の上面に配設された係合部材としてのアーム２２の一端（右端）に形成された係合孔２２ｄと係合した状態となっている。
【００７３】
アーム２２の係合孔２２ｄは、アーム２２が係合突起１６ｇを回動支点として時計回り方向（矢印Ｃ方向）に回動できるように一端側が幅広となる扇状に形成されている。
【００７４】
さらに、アーム２２の前記係合孔２２ｄが形成された一端側（右端側）には、バネ掛部２２ｅを有した腕部２２ｆが突設されており、前記バネ掛部２２ｅには、一端をメインフレーム１０のバネ掛部１０ｂ，１０ｂに連結した付勢手段である引張りバネ２４，２４の他端が連結された状態となっている。そして、引張りバネ２４，２４の付勢力により、アーム２２およびこれと連結されたスライダ１６をＩＣカード４の挿入方向とは逆の方向（矢印Ｂ方向）に付勢するとともに、アーム２２を時計回り方向（矢印Ｃ方向）に常時付勢するようになっている。
【００７５】
また、アーム２２は、ＩＣカード４が挿入されていない状態においては、図７に示すように、アーム２２の他端（左端）の突当部２２ｂがＩＣカード排出部材であるイジェクトボタン２６の突当面２６ａと当たり、アーム２２の時計回りの方向（矢印Ｃ方向）の回動を押さえられた状態となる。
【００７６】
また、ＩＣカード４が挿入された状態においては、図９に示すように、アーム２２の他端（左端）の突当部２２ｂがイジェクトボタン２６の突当面２６ａから外れて時計回りの方向（矢印Ｃ方向）に回動し、アーム２２に形成された係合部としての切欠部２２ａが、メインフレーム１０に形成された被係合部としての切起部１０ａに係合するようになっている。そして、アーム２２およびこれと連結されたスライダ１６を、引張りバネ２４，２４の付勢力に抗して保持するスライダロック手段としてのスライダロック機構２７を構成している。
【００７７】
また、メインフレーム１０の上面側には、制御基板２８が配設されている。この制御基板２８は、メインフレーム枠１２で保持されており、コンピュータ機器２と接続するためのコネクタ３と、ＩＣカード４の接点４ｆと接続させるための導電性弾性体からなるピン状のコンタクト（以後、コンタクトピンという）４０を保持したコンタクトホルダ３０と、アーム２２の動きを検知するための第１の検知手段としての第１スイッチ３２および第２の検知手段としての第２のスイッチ３４と、ＩＣカード４がコンタクトし情報の読み込み書き込み中に点灯する発光体（ＬＥＤ）３６と、制御手段である大規模集積回路（ＬＳＩ）３８とが配設されている。
【００７８】
コンタクトホルダ３０は、基板２８の裏側（下面側）に実装され、このコンタクトホルダ３０に保持された８本もしくは６本のコンタクトピン４０の先端部は、メインフレーム１０に穿設されたピン挿通孔を貫通し、メインフレーム１０の下面側、すなわち、カード挿入路１５に突出した状態となっている。
【００７９】
第１，第２のスイッチ３２，３４は、導電性弾性体からなり、アーム２２が時計回りに回動しないとき（ＩＣカード４が挿入されていないとき）は、図７に示すようにアーム２２の端面２２ｃによって第１のスイッチ３２の接触子３２ａが押されて第２のスイッチ３４と密着している。また、ＩＣカード４が挿入されアーム２２が時計回り方向（矢印Ｃ方向）に回動すると、図９に示すように第１のスイッチ３２の接触子３２ａは元の形状に戻り、第２のスイッチ３４から離れる機構となっている。そして、アーム２２の動きを検知する検知手段３５を構成している。
【００８０】
また、前記ＩＣカード排出部材であるイジェクトボタン２６は、スライダロック機構２７のロック動作を解除するロック解除部材となっている。すなわち、イジェクトボタン２６の先端は、アーム２２の突当部２２ｂと接触するテーパガイド面２６ｂとなっており、イジェクトボタン２６をＩＣカード４の挿入方向と同じ方向（矢印Ｄ方向）に押すと、アーム２２が反時計回りの方向（矢印Ｅ方向）に引張りバネ２４，２４の付勢力に抗して押し退けられ、アーム２２の係合部としての切欠部２２ａが、メインフレーム１０に形成されたの被係合部としての切起部１０ａから離れるようになっている。これにより、スライダ１６のロック動作が解除され、スライダ１６は、引張りバネ２４，２４の付勢力でＩＣカード４の挿入方向とは逆の矢印Ｂ方向に移動し、ＩＣカード４をＩＣカード挿入口１４方向に排出するようになっている。
【００８１】
次に、このように構成された第２の実施例の作用について説明する。
まず、これから読み書きを行なおうとするＩＣカード４をＩＣカード挿入口１４に挿入する。挿入されたＩＣカード４は、ＩＣカード挿入口１４の開口縁部に形成されたガイド部１２ａ，１２ｂ，１２ｃによって所定位置に案内されながらカード挿入路１５を奥行き方向（矢印Ａ方向）へ移動する。そして、ＩＣカード４は、ＩＣカード変位機構４２を構成するすくい板１７の上面を通過して、ＩＣカード４の先端面４ａがスライダ１６の平坦突当面１６ｃに、また、先端側両隅部４ｄ，４ｅがスライダ１６の円弧状の突当面１６ａ，１６ｂにそれぞれ突当たり、スライダ１６は付勢手段としての引張りバネ２４，２４に抗してＩＣカード４と共にさらに移動する。
【００８２】
スライダ１６がある位置まで移動すると、すくい板１７に形成された突起嵌入孔１８の図において左側の開口端面１７ａが、ベースフレーム２０に突設された突起部２０ａに当たり、すくい板１７の突起嵌入孔１８よりも左側部分が突起部２０ａ上に乗上げ、これと同時にスライダ１６の右側にある突当面１６ｆも２カ所の突起部２０ｂ，２０ｂに当たってスライダ１６が突起部２０ｂ，２０ｂ上に乗上げ、すくい板１７が、コンタクトピン４０方向に水平に持ち上げられた状態となる。
【００８３】
また、すくい板１７を変位させるための突起部２０ａは、丁度、コンタクトピン４０の配設位置の真下に位置し、突起部２０ｂ，２０ｂはベースフレーム２０のコネクタ３側に近い位置にあり、これら突起部２０ａ、２０ｂ，２０ｂにより水平に持ち上げられたすくい板１７により押上げられたＩＣカード４の接点４ｆとコンタクトピン４０とが確実に接触した状態となる。
【００８４】
なお、突起部２０ａは、コンタクトピン４０の配設位置の真下に位置し、突起部２０ｂ，２０ｂはベースフレーム２０のコネクタ３側に近い位置にあるため、突起部２０ａ，２０ｂの形状もしくは位置によって、ＩＣカード４の接点４ｆとコンタクトピン４０との接触タイミングを自由に調整することが可能である。
【００８５】
上記のように、ＩＣカード４の接点４ｆとコンタクトピン４０とが接触した状態において、スライダ１６は、移動方向側（右側）端面である突当面１６ｆが、メインフレーム枠１２の一部である突当面１２ｄに当たり、それ以上の動きが規制される。これにより、ＩＣカード４の挿入方向の動きも規制される。
【００８６】
一方、上記のようにスライダ１６がＩＣカード４の挿入方向（矢印Ａ方向）に移動することにより、このスライダ１６に連結されたアーム２２は、スライダ１６と一体にＩＣカード４の挿入方向に移動する。
【００８７】
この時、アーム２２は、引張りバネ２４，２４の付勢力によって時計回り方向（矢印Ｃ方向）に付勢されているが、突当部２２ｂがイジェクトボタン２６の突当面２６ａに当接することでその動きが規制され、突当面２６ａをこすりながら移動する。
【００８８】
そして、イジェクトボタン２６の突当面２６ａが切れたところで、アーム２２の突当部２２ｂがイジェクトボタン２６のテーパガイド面２６ｂに沿って時計回り方向（矢印Ｃ方向）に回動する。これにより、図９に示すように、アーム２２に形成された係合部としての切欠部２２ａが、メインフレーム１０に形成された被係合部としての切起部１０ａに係合した状態となり、アーム２２およびこのアーム２２に連結されたスライダ１６のＩＣカード挿入口１４方向（矢印Ｂ方向）の動きが規制される。これにより、ＩＣカード４がアクセス位置に保持される。
【００８９】
また、上記のように、アーム２２が時計回り方向（矢印Ｃ方向）に回動すると、アーム２２の端面２２ｃによって押されていた第１のスイッチ３２の接触子３２ａが元の形状に戻り、第２のスイッチ３４から離れ、これにより、ＩＣカード４が所定の位置に確実に挿入されたことが検出される。そして、この検出信号によりＩＣカード４に対するアクセスを開始することになる。
【００９０】
上記のように、アーム２２が回動した後、すなわち、アーム２２に形成された係合部としての切欠部２２ａが、メインフレーム１０に形成された被係合部としての切起部１０ａに係合した後、ＩＣカード４が挿入された事を確認するようにしたから、この時間のずれによって、ＩＣカード４内の情報を破壊することなくアクセスを開始することができる。
【００９１】
次に、ＩＣカード４を取出す動作について説明する。
ＩＣカード４への情報の読込み書込みが終了すると、点灯していた発光体（ＬＥＤ）３６が消灯する。消灯を確認後、もしくはＩＣカ−ド情報処理装置１を動かすアプリケーションシステムより終了確認後、イジェクトボタン２６を右方向（矢印Ｄ方向）に押すことにより、ＩＣカード４を排出することになる。
【００９２】
すなわち、イジェクトボタン２６を右方向（矢印Ｄ方向）に押すと、このイジェクトボタン２６のテーパガイド面２６ｂと接触するアーム２２の突当部２２ｂが外方に押され、アーム２２が反時計回り方向（矢印Ｅ方向）に回動し始める。
【００９３】
そして、アーム２２の係合部としての切欠部２２ａが、メインフレーム１０の被係合部としての切起部１０ａから外れて、アーム２２は引張りバネ２４，２４の付勢力によって左方向（矢印Ｂ方向）に移動すると同時にアーム２２と連結しているスライダ１６も、メインフレーム１０に保持されながら左方向に移動する。
【００９４】
また、上記のようにアーム２２の反時計回り方向（矢印Ｅ方向）の回動により、アーム２２の端面２２ｃが第１スイッチ３２の接触子３２ａを押圧し第２のスイッチ３４に押し付けた状態となる。そして、アーム２２およびこれと連結しているスライダ１６が左方向に移動する以前、すなわち、ＩＣカード４の排出が行なわれる前に検知される。
【００９５】
このように、ＩＣカード４の排出が行なわれる前にそれを検知するので、ＩＣカード４内の情報を破壊することなく排出ができる。たとえアクセス中にイジェクトボタン２６を押しても、ＩＣカード４を破壊することなく安全かつ確実に排出が可能となる。
【００９６】
ＩＣカード４は、スライダ１６の左方向の移動により、その一部がＩＣカード挿入口１４から突出する位置まで押し戻され、排出が完了する。
後は、ＩＣカード４を手で摘んで引出すことにより、図７および図８に示すＩＣカード４の挿入前の状態に戻る。
【００９７】
次に、図１１〜図１４を参照して第３の実施例について説明する。
この第３の実施例のＩＣカ−ド情報処理装置１は、外形形状は前述の第１の実施例のものと同じであるためここでは説明を省略する。
【００９８】
図１１はメモリカード用スロット２Ａに内蔵される部分１Ａの蓋部材５（図１参照）、及びコンピュータ機器２外に出る部分１Ｂの蓋部材６（図１参照）等を取り除いた状態、かつＩＣカード４が挿入されていない状態を示す平面図であり、図１２は、このＩＣカード４が挿入されていない時の主要部の構成を示す概略的側面図である。
【００９９】
また、図１３および図１４は、それぞれＩＣカード４が挿入されている状態の要部の平面図および概略的側面図である。
図において、８は装置本体であり、この装置本体８は、各機構部材を保持するメインフレーム１０と、このメインフレーム１０の下面側に設けられたベースフレーム２０と、これらメインフレーム１０およびベースフレーム２０が固定されるとともに装置の外形を構成するメインフレーム枠１２とからなる。
【０１００】
メインフレーム枠１２のメモリカード用スロット２Ａに内蔵される部分は、適用対象のメモリカードの規格に合った形状寸法になっている。
メインフレーム枠１２のコンピュータ機器２外に出る部分１Ｂの端面には、ＩＣカード４を挿入するＩＣカード挿入口１４があり、そのＩＣカード４の長手方向（挿入方向）に沿う側端面４ｂ，４ｃをガイドする為のガイド部１２ａ，１２ｂ，１２ｃを有している。このカ−ド挿入口１４は、ＩＣカード４の挿入および排出がスムーズに行なわれるように、入口が広く、ＩＣカード４の挿入方向（矢印Ａ方向）に向かって狭まるように、５４．０ｍｍ〜５４．３ｍｍに設定されている。
【０１０１】
また、装置本体８内には、カ−ド挿入口１４に連通するカード挿入路１５が形成されており、このカード挿入路１５の奥行方向には、スライダ１６が設けられている。
【０１０２】
このスライダ１６には、ＩＣカード４の先端側両隅部４ｄ，４ｅが当接する円弧状の突当面１６ａ，１６ｂと、ＩＣカード４の先端面４ａが当接する平坦突当面１６ｃとが形成されており、ＩＣカード４の先端側の位置決めを行うようになっている。
【０１０３】
したがって、ＩＣカード挿入口１４からカード挿入路１５に挿入されたＩＣカード４は、ＩＣカード挿入口１４付近では、メインフレーム枠１２のガイド部１２ａ，１２ｂ，１２ｃでカード幅方向が位置決めされ、コンピュータ内蔵部分では、スライダ１６の円弧状の突当面１６ａ，１６ｂおよび平坦突当面１６ｃによって位置決めがなされることになる。
【０１０４】
また、スライダ１６は、メインフレーム１０に形成された長孔と係合するガイド突起１６ｄ，１６ｄが突設されており、ＩＣカード４の挿脱方向にのみ移動可能となっている。
【０１０５】
また、スライダ１６の配設位置よりＩＣカード挿入口１４方向から見て手前側には、図８および図１０に示すように、ＩＣカード４の挿入方向が傾斜上端となるカード変位部材としての傾斜ガイド２０ｃが設けられている。そして、挿入されたＩＣカード４をコンタクトとしてのコンタクトピン４０側に変位させてＩＣカード４の接点４ｆと前記コンタクトピン４０とを接触させるＩＣカード変位手段としてのＩＣカード変位機構４２を構成している。
【０１０６】
傾斜ガイド２０ｃが突設されたベースフレーム２０は、ＩＣカード４の下面を保持、保護を目的としたもので、メインフレーム枠１２に保持されている。
また、前記スライダ１６には、メインフレーム１０に形成された長孔を介してメインフレーム１０の上面側に突出する係合突起１６ｇを有しており、この係合突起１６ｇは、メインフレーム１０の上面に配設された係合部材としてのアーム２２の一端（右端）に形成された係合孔２２ｄと係合した状態となっている。
【０１０７】
アーム２２の係合孔２２ｄは、アーム２２が係合突起１６ｇを回動支点として時計回り方向（矢印Ｃ方向）に回動できるように一端側が幅広となる扇状に形成されている。
【０１０８】
さらに、アーム２２の前記係合孔２２ｄが形成された一端側（右端側）には、バネ掛部２２ｅを有した腕部２２ｆが突設されており、前記バネ掛部２２ｅには、一端をメインフレーム１０のバネ掛部１０ｂ，１０ｂに連結した付勢手段である引張りバネ２４，２４の他端が連結された状態となっている。そして、引張りバネ２４，２４の付勢力により、アーム２２およびこれと連結されたスライダ１６をＩＣカード４の挿入方向とは逆の方向（矢印Ｂ方向）に付勢するとともに、アーム２２を時計回り方向（矢印Ｃ方向）に常時付勢するようになっている。
【０１０９】
また、アーム２２は、ＩＣカード４が挿入されていない状態においては、図７に示すように、アーム２２の他端（左端）の突当部２２ｂがＩＣカード排出部材であるイジェクトボタン２６の突当面２６ａと当たり、アーム２２の時計回りの方向（矢印Ｃ方向）の回動を押さえられた状態となる。
【０１１０】
また、ＩＣカード４が挿入された状態においては、図１３に示すように、アーム２２の他端（左端）の突当部２２ｂがイジェクトボタン２６の突当面２６ａから外れて時計回りの方向（矢印Ｃ方向）に回動し、アーム２２に形成された係合部としての切欠部２２ａが、メインフレーム１０に形成された被係合部としての切起部１０ａに係合するようになっている。そして、アーム２２およびこれと連結されたスライダ１６を、引張りバネ２４，２４の付勢力に抗して保持するスライダロック手段としてのスライダロック機構２７を構成している。
【０１１１】
また、メインフレーム１０の上面側には、制御基板２８が配設されている。この制御基板２８は、メインフレーム枠１２で保持されており、コンピュータ機器２と接続するためのコネクタ３と、ＩＣカード４の接点４ｆと接続させるための導電性弾性体からなるピン状のコンタクト（以後、コンタクトピンという）４０を保持したコンタクトホルダ３０と、アーム２２の動きを検知するための第１の検知手段としての第１スイッチ３２および第２の検知手段としての第２のスイッチ３４と、ＩＣカード４がコンタクトし情報の読み込み書き込み中に点灯する発光体（ＬＥＤ）３６と、制御手段である大規模集積回路（ＬＳＩ）３８とが配設されている。
【０１１２】
コンタクトホルダ３０は、基板２８の裏側（下面側）に実装され、このコンタクトホルダ３０に保持された８本もしくは６本のコンタクトピン４０の先端部は、メインフレーム１０に穿設されたピン挿通孔を貫通し、メインフレーム１０の下面側、すなわち、カード挿入路１５に突出した状態となっている。
【０１１３】
第１，第２のスイッチ３２，３４は、導電性弾性体からなり、アーム２２が時計回りに回動しないとき（ＩＣカード４が挿入されていないとき）は、図１１に示すようにアーム２２の端面２２ｃによって第１のスイッチ３２の接触子３２ａが押されて第２のスイッチ３４と密着している。また、ＩＣカード４が挿入されアーム２２が時計回り方向（矢印Ｃ方向）に回動すると、図１３に示すように第１のスイッチ３２の接触子３２ａは元の形状に戻り、第２のスイッチ３４から離れる機構となっている。そして、アーム２２の動きを検知する検知手段３５を構成している。
【０１１４】
また、前記ＩＣカード排出部材であるイジェクトボタン２６は、スライダロック機構２７のロック動作を解除するロック解除部材となっている。すなわち、イジェクトボタン２６の先端は、アーム２２の突当部２２ｂと接触するテーパガイド面２６ｂとなっており、イジェクトボタン２６をＩＣカード４の挿入方向と同じ方向（矢印Ｄ方向）に押すと、アーム２２が反時計回りの方向（矢印Ｅ方向）に引張りバネ２４，２４の付勢力に抗して押し退けられ、アーム２２の係合部としての切欠部２２ａが、メインフレーム１０に形成されたの被係合部としての切起部１０ａから離れるようになっている。これにより、スライダ１６のロック動作が解除され、スライダ１６は、引張りバネ２４，２４の付勢力でＩＣカード４の挿入方向とは逆の矢印Ｂ方向に移動し、ＩＣカード４をＩＣカード挿入口１４方向に排出するようになっている。
【０１１５】
次に、このように構成された第３の実施例の作用について説明する。
まず、これから読み書きを行なおうとするＩＣカード４をＩＣカード挿入口１４に挿入する。挿入されたＩＣカード４は、ＩＣカード挿入口１４の開口縁部に形成されたガイド部１２ａ，１２ｂ，１２ｃによって所定位置に案内されながらカード挿入路１５を奥行き方向（矢印Ａ方向）へ移動する。そして、ＩＣカード４は、ＩＣカード変位機構４２を構成する傾斜ガイド２０ｃの上面を徐々に上方に案内されながら移送され、傾斜ガイド２０ｃの傾斜上端とメーンフレーム１０の下面との隙間を通過して、ＩＣカード４の先端面４ａがスライダ１６の平坦突当面１６ｃに、また、先端側両隅部４ｄ，４ｅがスライダ１６の円弧状の突当面１６ａ，１６ｂにそれぞれ突当たり、スライダ１６は付勢手段としての引張りバネ２４，２４に抗してＩＣカード４と共にさらに移動する。
【０１１６】
傾斜ガイド２０ｃの傾斜上端は、丁度、コンタクトピン４０の配設位置の真下に位置し、これにより持ち上げられたＩＣカード４の接点４ｆとコンタクトピン４０とが確実に接触した状態となる。
【０１１７】
なお、傾斜ガイド２０ｃは、コンタクトピン４０の配設位置の真下に位置し、突起部２０ｂ，２０ｂはベースフレーム２０のコネクタ３側に近い位置にあるため、傾斜ガイド２０ｃの形状もしくは位置によって、ＩＣカード４の接点４ｆとコンタクトピン４０との接触タイミングを自由に調整することが可能である。
【０１１８】
上記のように、ＩＣカード４の接点４ｆとコンタクトピン４０とが接触した状態において、スライダ１６は、移動方向側（右側）端面である突当面１６ｆが、メインフレーム枠１２の一部である突当面１２ｄに当たり、それ以上の動きが規制される。これにより、ＩＣカード４の挿入方向の動きも規制される。
【０１１９】
一方、上記のようにスライダ１６がＩＣカード４の挿入方向（矢印Ａ方向）に移動することにより、このスライダ１６に連結されたアーム２２は、スライダ１６と一体にＩＣカード４の挿入方向に移動する。
【０１２０】
この時、アーム２２は、引張りバネ２４，２４の付勢力によって時計回り方向（矢印Ｃ方向）に付勢されているが、突当部２２ｂがイジェクトボタン２６の突当面２６ａに当接することでその動きが規制され、突当面２６ａをこすりながら移動する。
【０１２１】
そして、イジェクトボタン２６の突当面２６ａが切れたところで、アーム２２の突当部２２ｂがイジェクトボタン２６のテーパガイド面２６ｂに沿って時計回り方向（矢印Ｃ方向）に回動する。これにより、図１３に示すように、アーム２２に形成された係合部としての切欠部２２ａが、メインフレーム１０に形成された被係合部としての切起部１０ａに係合した状態となり、アーム２２およびこのアーム２２に連結されたスライダ１６のＩＣカード挿入口１４方向（矢印Ｂ方向）の動きが規制される。これにより、ＩＣカード４がアクセス位置に保持される。
【０１２２】
また、上記のように、アーム２２が時計回り方向（矢印Ｃ方向）に回動すると、アーム２２の端面２２ｃによって押されていた第１のスイッチ３２の接触子３２ａが元の形状に戻り、第２のスイッチ３４から離れ、これにより、ＩＣカード４が所定の位置に確実に挿入されたことが検出される。そして、この検出信号によりＩＣカード４に対するアクセスを開始することになる。
【０１２３】
上記のように、アーム２２が回動した後、すなわち、アーム２２に形成された係合部としての切欠部２２ａが、メインフレーム１０に形成された被係合部としての切起部１０ａに係合した後、ＩＣカード４が挿入された事を確認するようにしたから、この時間のずれによって、ＩＣカード４内の情報を破壊することなくアクセスを開始することができる。
【０１２４】
次に、ＩＣカード４を取出す動作について説明する。
ＩＣカード４への情報の読込み書込みが終了すると、点灯していた発光体（ＬＥＤ）３６が消灯する。消灯を確認後、もしくはＩＣカ−ド情報処理装置１を動かすアプリケーションシステムより終了確認後、イジェクトボタン２６を右方向（矢印Ｄ方向）に押すことにより、ＩＣカード４を排出することになる。
【０１２５】
すなわち、イジェクトボタン２６を右方向（矢印Ｄ方向）に押すと、このイジェクトボタン２６のテーパガイド面２６ｂと接触するアーム２２の突当部２２ｂが外方に押され、アーム２２が反時計回り方向（矢印Ｅ方向）に回動し始める。
【０１２６】
そして、アーム２２の係合部としての切欠部２２ａが、メインフレーム１０の被係合部としての切起部１０ａから外れて、アーム２２は引張りバネ２４，２４の付勢力によって左方向（矢印Ｂ方向）に移動すると同時にアーム２２と連結しているスライダ１６も、メインフレーム１０に保持されながら左方向に移動する。
【０１２７】
また、上記のようにアーム２２の反時計回り方向（矢印Ｅ方向）の回動により、アーム２２の端面２２ｃが第１スイッチ３２の接触子３２ａを押圧し第２のスイッチ３４に押し付けた状態となる。そして、アーム２２およびこれと連結しているスライダ１６が左方向に移動する以前、すなわち、ＩＣカード４の排出が行なわれる前に検知される。
【０１２８】
このように、ＩＣカード４の排出が行なわれる前にそれを検知するので、ＩＣカード４内の情報を破壊することなく排出ができる。たとえアクセス中にイジェクトボタン２６を押しても、ＩＣカード４を破壊することなく安全かつ確実に排出が可能となる。
【０１２９】
ＩＣカード４は、スライダ１６の左方向の移動により、その一部がＩＣカード挿入口１４から突出する位置まで押し戻され、排出が完了する。
後は、ＩＣカード４を手で摘んで引出すことにより、図１１および図１２に示すＩＣカード４の挿入前の状態に戻る。
なお、本発明は上記一実施例に限らず、本発明の要旨を変えない範囲で種々変形実施可能なことは勿論である。
【０１３０】
【発明の効果】
以上説明したようにしたことから、本発明においては、薄型化と内部機構の単純化が図れ、携帯型パソコン等のコンピュータ機器の規格化されたメモリカード用スロットに挿入接続が可能で、コンピュータ機器と一体で使用や運搬が行え、使用場所を選ばず使えて利便性を大幅に向上させる事ができ、しかも、組立，調整等が容易で安価なＩＣカード情報処理装置を提供することができる。
【図面の簡単な説明】
【図１】本発明のＩＣカ−ド情報処理装置の第１の実施例の外観を示す斜視図。
【図２】第１の実施例のＩＣカ−ド情報処理装置を差込むノート型パソコンのメモリカード用スロット部分を示す斜視図。
【図３】第１の実施例の一部部材を取除いた状態、かつＩＣカードが挿入されていない状態を示す平面図。
【図４】第１の実施例のＩＣカードが挿入されていない状態の主要部の構成を示す概略的側面図。
【図５】第１の実施例の一部部材を取除いた状態、かつＩＣカードが挿入された状態を示す平面図。
【図６】第１の実施例のＩＣカードが挿入された状態の主要部の構成を示す概略的側面図。
【図７】本発明の第２の実施例の一部部材を取除いた状態、かつＩＣカードが挿入されていない状態を示す平面図。
【図８】第２の実施例のＩＣカードが挿入されていない状態の主要部の構成を示す概略的側面図。
【図９】第２の実施例の一部部材を取除いた状態、かつＩＣカードが挿入された状態を示す平面図。
【図１０】第２の実施例のＩＣカードが挿入された状態の主要部の構成を示す概略的側面図。
【図１１】本発明の第３の実施例の一部部材を取除いた状態、かつＩＣカードが挿入されていない状態を示す平面図。
【図１２】第３の実施例のＩＣカードが挿入されていない状態の主要部の構成を示す概略的側面図。
【図１３】第３の実施例の一部部材を取除いた状態、かつＩＣカードが挿入された状態を示す平面図。
【図１４】第３の実施例のＩＣカードが挿入された状態の主要部の構成を示す概略的側面図。
【符号の説明】
１…ＩＣカ−ド情報処理装置、２…コンピュータ機器、２Ａ…メモリカード用スロット、３…コネクタ部、４…ＩＣカード、４ｆ…接点、８…装置本体、１０…メインフレーム、１０ａ…切起部（被係合部）、１２…メインフレーム枠、１４…ＩＣカード挿入口、１５…カード挿入路、１６…スライダ、１７…すくい板（カード変位部材）、１８…突起嵌入孔、２０…ベースフレーム、２０ａ，２０ｂ…突起部、２０ｃ…傾斜ガイド（カード変位部材）、２２…アーム（係合部材）、２２ａ…切欠部（係合部）、２４…引張りバネ（付勢手段）、２７…スライダロック機構（スライダロック手段）、２８…制御基板、３０…コンタクトホルダ、３２…第１スイッチ（第１の検知手段）、３４…第２のスイッチ（第２の検知手段）、３８…大規模集積回路（制御手段）、４０…コンタクトピン（コンタクト）、４２…ＩＣカード変位機構（ＩＣカード変位手段）。
【図１】
0003559319.tif 000002
【図２】
0003559319.tif 000003
【図３】
0003559319.tif 000004
【図４】
0003559319.tif 000005
【図５】
0003559319.tif 000006
【図６】
0003559319.tif 000007
【図７】
0003559319.tif 000008
【図８】
0003559319.tif 000009
【図９】
0003559319.tif 000010
【図１０】
0003559319.tif 000011
【図１１】
0003559319.tif 000012
【図１２】
0003559319.tif 000013
【図１３】
0003559319.tif 000014
【図１４】
0003559319.tif 000015